(57)【特許請求の範囲】
【請求項１】
表示部を備えた電子機器において、
前記表示部は、
液晶層を挟持する一対の基板と、
所定の配列軸に沿って並べられて単位配列が形成され、当該単位配列が前記所定の配列軸に直交する方向に複数配置されて表示領域を構成する複数の画素と、
前記画素を構成する複数のサブ画素と、
前記一対の基板の内の一方の基板上に配置され、前記複数のサブ画素の各々に対応して設けられた複数の画素電極と、
前記複数の画素電極上に絶縁膜を介して設けられた共通電極と、を備え、
前記共通電極は、
前記配列軸に対して斜めに交差する方向に延在する複数の第１電極と、
前記複数の第１電極に対して斜めに交差する部分を有し、前記複数の第１電極の一端部同士を接続する第２電極と、
前記複数の第１電極に対して斜めに交差する部分を有し、前記複数の第１電極の他端部同士を接続する第３電極と、を備え、
前記複数の第１電極は、少なくとも一部が互いに並行且つ一定間隔で配置されているとともに、前記第２電極及び前記第３電極は、前記配列軸の方向に沿って延在する画素間領域に平面的に重なって配置されており、
隣接する前記第１電極の一端部同士の前記配列軸方向における間隔は、少なくとも一部が前記サブ画素の前記配列軸方向における幅と等しい、電子機器。
【請求項２】
表示部を備えた電子機器において、
前記表示部は、
液晶層を挟持する一対の基板と、
所定の配列軸に沿って並べられて単位配列が形成され、当該単位配列が前記所定の配列
軸に直交する方向に複数配置されて表示領域を構成する複数の画素と、
前記画素を構成する複数のサブ画素と、
前記一対の基板の内の一方の基板上に配置され、前記複数のサブ画素の各々に対応して
設けられた複数の画素電極と、
前記複数の画素電極上に絶縁膜を介して設けられた共通電極と、を備え、
前記共通電極は、
前記配列軸に対して斜めに交差する方向に延在する複数の第１電極と、
前記複数の第１電極に対して斜めに交差する部分を有し、前記複数の第１電極の一端部
同士を接続する第２電極と、
前記複数の第１電極に対して斜めに交差する部分を有し、前記複数の第１電極の他端部
同士を接続する第３電極と、を備え、
前記複数の第１電極は、少なくとも一部が互いに並行且つ一定間隔で配置されていると
ともに、前記第２電極及び前記第３電極は、前記配列軸の方向に沿って延在する画素間領
域に平面的に重なって配置されており、
前記単位配列内のすべての前記第１電極は、互いに並行且つ、隣接する前記第１電極と
の間が一定間隔で配置されている、電子機器。
【請求項３】
表示部を備えた電子機器において、
前記表示部は、
液晶層を挟持する一対の基板と、
所定の配列軸に沿って並べられて単位配列が形成され、当該単位配列が前記所定の配列軸に直交する方向に複数配置されて表示領域を構成する複数の画素と、
前記画素を構成する複数のサブ画素と、
前記一対の基板の内の一方の基板上に配置され、前記複数のサブ画素の各々に対応して設けられた複数の画素電極と、
前記複数の画素電極上に絶縁膜を介して設けられた共通電極と、を備え、
前記共通電極は、
前記配列軸に対して斜めに交差する方向に延在する複数の第１電極と、
前記複数の第１電極に対して斜めに交差する部分を有し、前記複数の第１電極の一端部同士を接続する第２電極と、
前記複数の第１電極に対して斜めに交差する部分を有し、前記複数の第１電極の他端部同士を接続する第３電極と、を備え、
前記複数の第１電極は、少なくとも一部が互いに並行且つ一定間隔で配置されているとともに、前記第２電極及び前記第３電極は、前記配列軸の方向に沿って延在する画素間領域に平面的に重なって配置されており、
前記単位配列内のすべての前記第１電極は、互いに並行且つ、隣接する前記第１電極と
の間が一定間隔で配置され、
隣接する前記第１電極の一端部同士の前記配列軸方向における間隔は、少なくとも一部が前記サブ画素の前記配列軸方向における幅と等しい、電子機器。
【請求項４】
前記第１電極は、前記単位配列を形成する前記複数の画素に配置された２以上の前記画素電極と重なるように延在される、請求項１から請求項３のいずれか１項に記載の電子機器。
【請求項５】
前記第２電極と前記第３電極は、前記配列軸に直交する方向で隣接する前記画素間領域にそれぞれ配置されている、請求項１から請求項４のいずれか１項に記載の電子機器。
【請求項６】
表示部を備えた電子機器において、
前記表示部は、
液晶層を挟持する一対の基板と、
所定の配列軸に沿って並べられて単位配列が形成され、当該単位配列が前記所定の配列軸に直交する方向に複数配置されて表示領域を構成する複数の画素と、
前記画素を構成する複数のサブ画素と、
前記一対の基板の内の一方の基板上に配置され、前記複数のサブ画素の各々に対応して設けられた複数の画素電極と、
前記複数の画素電極上に絶縁膜を介して設けられた共通電極と、を備え、
前記共通電極は、
前記配列軸に対して斜めに交差する方向に延在する複数の第１電極と、
前記複数の第１電極に対して斜めに交差する部分を有し、前記複数の第１電極の一端部同士を接続する第２電極と、
前記複数の第１電極に対して斜めに交差する部分を有し、前記複数の第１電極の他端部同士を接続する第３電極と、を備え、
前記複数の第１電極は、少なくとも一部が互いに並行且つ一定間隔で配置されているとともに、前記第２電極及び前記第３電極は、前記配列軸の方向に沿って延在する画素間領域に平面的に重なって配置されており、
前記第２電極と前記第３電極は、前記配列軸に直交する方向で隣接する前記画素間領域にそれぞれ配置され、
前記サブ画素は各々同じ形状を有し、
隣接する前記第１電極の一端部同士の前記配列軸方向における間隔は、前記サブ画素の前記配列軸方向における幅と等しい、電子機器。
【請求項７】
表示部を備えた電子機器において、
前記表示部は、
液晶層を挟持する一対の基板と、
所定の配列軸に沿って並べられて単位配列が形成され、当該単位配列が前記所定の配列軸に直交する方向に複数配置されて表示領域を構成する複数の画素と、
前記画素を構成する複数のサブ画素と、
前記一対の基板の内の一方の基板上に配置され、前記複数のサブ画素の各々に対応して設けられた複数の画素電極と、
前記複数の画素電極上に絶縁膜を介して設けられた共通電極と、を備え、
前記共通電極は、
前記配列軸に対して斜めに交差する方向に延在する複数の第１電極と、
前記複数の第１電極に対して斜めに交差する部分を有し、前記複数の第１電極の一端部同士を接続する第２電極と、
前記複数の第１電極に対して斜めに交差する部分を有し、前記複数の第１電極の他端部同士を接続する第３電極と、を備え、
前記複数の第１電極は、少なくとも一部が互いに並行且つ一定間隔で配置されているとともに、前記第２電極及び前記第３電極は、前記配列軸の方向に沿って延在する画素間領域に平面的に重なって配置されており、
前記単位配列内のすべての前記第１電極は、互いに並行且つ、隣接する前記第１電極との間が一定間隔で配置され、
前記第２電極と前記第３電極は、前記配列軸に直交する方向で隣接する前記画素間領域にそれぞれ配置され、
前記サブ画素は各々同じ形状を有し、
隣接する前記第１電極の一端部同士の前記配列軸方向における間隔は、前記サブ画素の前記配列軸方向における幅の整数分の１の幅と等しい、電子機器。
【請求項８】
前記第１電極と前記第２電極とが成す角度と、前記第１電極と前記第３電極とが成す角度との片方または両方が、１度以上１５度以下である請求項１から請求項７のいずれか１項に記載の電子機器。
【請求項９】
前記共通電極は、前記第２電極および前記第３電極の両端部において隣接する端部同士をそれぞれ接続する一対の第４電極を備え、
前記一対の第４電極のうちの一方の第４電極には、複数の前記第１電極の一端部が接続され、
前記一対の第４電極のうちの他方の第４電極には、複数の前記第１電極の他端部が接続され、
前記共通電極は前記表示領域の外側に張り出して形成され、且つ前記一対の第４電極は前記表示領域の外側に配置されている請求項１から請求項８のいずれか１項に記載の電子機器。
【請求項１０】
前記第２電極と前記第３電極とが、前記第１電極よりも抵抗率の低い導電性材料で形成されている、請求項１から請求項９のいずれか１項に記載の電子機器。
【発明の詳細な説明】
【技術分野】
【０００１】
本発明は、表示部を備えた電子機器に関するものである。
【背景技術】
【０００２】
従来、液晶表示装置の画質・性能を向上させる研究開発の一環として、液晶表示装置の視野角を広げる手段が盛んに研究されている。その中のひとつとして、基板に対して面内方向（横方向）の電界を発生させ、この横方向の電界で液晶分子を基板に並行な面内で回転させることで透過光を制御する、いわゆる横電界方式のインプレインスイッチング（In-Plane Switching、以下ＩＰＳ）方式が実用化されている。更に、このＩＰＳ方式を改良したフリンジフィールドスイッチング（Fringe-Field Switching、以下ＦＦＳ）方式が提案されている。
【０００３】
図１１はＦＦＳ方式の駆動方式を示す模式図であり、（ａ）は電界未発生時の液晶の様子を、（ｂ）は電界発生時の液晶の様子を示す。ＦＦＳ方式では、一対の基板３００、３０１に液晶分子３０２が挟持され、一方の基板上に絶縁層３０５を介して設けられた一対の電極３０３、３０４により発生させる電界Ｅで、液晶分子３０２を駆動させる。電界Ｅの未発生時には櫛歯状の電極３０３に平行して液晶分子３０２が配列し（図１１（ａ））、電界Ｅを発生させると、液晶分子３０２が９０度水平方向に回転して電界Ｅ発生方向に沿うように配列する（図１１（ｂ））。このＦＦＳ方式の液晶表示装置は、同じ横電界方式であるＩＰＳ方式の液晶表示装置と比べ開口率を大きく出来るという利点があるため、盛んに開発が進められている（例えば特許文献１）。
【特許文献１】特開２００２−２９６６１１号公報
【発明の開示】
【発明が解決しようとする課題】
【０００４】
しかしながら、ＦＦＳ方式の液晶ディスプレイは次のような課題を有する。図１２にはＦＦＳ方式の液晶表示装置に係る電極形状の一般例を表す平面図を示す。図では、垂直方向に延在する複数の第１電極３０３ａと、水平方向に延在し第１電極３０３ａに接続する第２電極３０３ｂと第３電極３０３ｃとが一体となり、梯子状の電極３０３を形成している。電極３０３が形成されていない領域には、平面視矩形のスリット３０６が形成されている。
【０００５】
電極３０３と不図示の電極３０４の間に印加されると、図中に矢印で示す電界Ｅが発生し液晶分子３０２が電界方向に配列するが、このとき第１電極３０３ａと第２電極３０３ｂとで延在方向が異なるため、それぞれの電極近傍で発生する電界の方向が異なる。すなわち、スリット３０６の中央部付近の領域ＡＲ１では、第１電極３０３ａから発生する電界が支配的であり、スリット３０６の長手方向両端部付近の領域ＡＲ２では、第２電極３０３ｂおよび第３電極３０３ｃから発生する電界が支配的である、したがって、領域ＡＲ１と領域ＡＲ２とでは各電極の延在方向に基づき電界Ｅの方向も９０度ずれる。その結果、領域ＡＲ１と領域ＡＲ２とでは液晶分子３０２の配列方向が異なり、配列の乱れ（ディスクリネーション）が生じる。このディスクリネーションは、光透過率の低下やコントラスト比の低下など、光学特性の低下をもたらす。
【０００６】
このように、従来のＦＦＳ方式の構成では、電極の形状により電界方向が異なる領域が生じ液晶の配向方向に違いが生まれる結果、光学特性が低下してしまうというという課題があった。
【０００７】
本発明はこのような事情に鑑みてなされたものであって、共通電極の形状を最適化することで、発生するディスクリネーションの影響を減らし、光透過率の高い表示部を備えた電子機器を提供することを目的とする。
【課題を解決するための手段】
【０００８】
上記の課題を解決するため、本発明の電子機器において、表示部は、液晶層を挟持する一対の基板と、所定の配列軸に沿って並べられて単位配列が形成され、当該単位配列が所定の配列軸に直交する方向に複数配置されて表示領域を構成する複数の画素と、画素を構成する複数のサブ画素と、一対の基板の内の一方の基板上に配置され、複数のサブ画素の各々に対応して設けられた複数の画素電極と、複数の画素電極上に絶縁膜を介して設けられた共通電極と、を備え、共通電極は、配列軸に対して斜めに交差する方向に延在する複数の第１電極と、複数の第１電極に対して斜めに交差する部分を有し、複数の第１電極の一端部同士を接続する第２電極と、複数の第１電極に対して斜めに交差する部分を有し、複数の第１電極の他端部同士を接続する第３電極と、を備え、複数の第１電極は、少なくとも一部が互いに並行且つ一定間隔で配置されているとともに、第２電極及び第３電極は、配列軸の方向に沿って延在する画素間領域に平面的に重なって配置されている。
【０００９】
画質の低下を引き起こすディスクリネーションは、液晶分子を駆動させる横電界の向きが揃わずに乱れが生じている箇所で発生する。例えば、延在方向の異なる電極同士の交点ではそれぞれの電極から発生する横電界の向きが異なるため、横電界の向きが揃わずディスクリネーションが発生する。中でも電極同士が直角に交わる箇所では、横電界は直角に向きが異なる２種の向きに発生するため、駆動する液晶分子の配向が９０度異なりディスクリネーションの影響は最大になる。
【００１０】
また一方で、例えば共通電極を表示領域の一端から他端にストライプ状に延在させると、横電界の方向が一定するためディスクリネーションが発生しないようにすることが出来るということが考えられる。しかしこの場合には別の課題が顕在化する。一般に、液晶表示装置が備える共通電極は、他の配線よりも抵抗率が高い材料にて形成されることが多い。そのため、共通電極が長くなると、電極自体の抵抗値と他層に形成される配線層や液晶等による寄生要領に起因する時定数により、共通電極への電圧信号供給側から近い箇所と遠い箇所とで液晶の応答タイミングが異なってしまう。この応答タイミングの違いは画像のちらつき（フリッカ）や信号同士の干渉（クロストーク）の原因となり画質の低下を引き起こすこととなる。
【００１１】
ここで本発明の構成によれば、第１電極は画素配列方向に対して斜めに交差して延在しており、この第１電極に対して第２電極および第３電極が斜めに交差する方向に延在している。そのため、第２電極や第３電極の第１電極と接続する近傍では、第１電極から発生する横電界の向きに対して、第２電極や第３電極から発生する横電界の向きはやはり斜めになり、ディスクリネーションの影響が最大となる９０度の横電界の違いを回避することができる。そのため、発生するディスクリネーションの影響が小さい液晶表示装置とすることができる。更に、第１電極は第２電極および第３電極と接続されるため、電圧信号は短い行路を伝わることができる。そのため、応答タイミングの差を小さくすることができ、フリッカやクロストークを低減させた液晶表示装置とすることができる。
【００１２】
また、複数の第１電極は、少なくとも一部が互いに並行且つ一定間隔で配置されている
ので、隣接する第１電極の間隔に変化がなく均一であるため、両者の間に広がる電界の強さに変化が生じず、第１電極近傍において均一な強さの横電界を発生させることができる。そのため、液晶分子の駆動にムラが無くなり、高画質の液晶表示装置とすることができる。
【００１３】
ここで、本発明において「並行」とは互いに交差しないように並んだ状態で配置されることであり、複数の第１電極のうち一つの第１電極は他の第１電極に沿って延在している状態を指す。並行には数学的な平行である状態を含み、配線の配置が数学的な平行により近づく方が本発明の効果は高い。しかしながら、製造上の誤差等の理由により厳密に平行にはならず略平行になっていても良い。以下、並行と記述する際には同様の意味において使用するものとする。
【００１４】
また、第１電極と第２電極の交点および第１電極と第３電極の交点は画素の端部に配置される。そのため、ディスクリネーションが発生する箇所は表示を行う画素の端部となり、画素中央部では良好に表示ができる。したがって、発生するディスクリネーションによる画質への影響が小さい表示部を備えた電子機器とすることが可能となる。
【００１５】
本発明においては、第２電極と第３電極は、配列軸に直交する方向で隣接する画素間領域にそれぞれ配置されていることが望ましい。
この構成によれば、各画素は必ず第２電極および第３電極に挟まれて配置するため、画素の配列している行間では等しくディスクリネーションが発生する。したがって、行間での違いが無くなり、色ムラを抑えた表示が可能な表示部を備えた電子機器とすることができる。またこの場合には、複数の第１電極は、互いに並行且つ一定間隔で配置されていることが望ましい。
【００１６】
本発明においては、隣接する第１電極の一端部同士の配列軸方向における間隔は、少なくとも一部がサブ画素の配列軸方向における幅と等しいことが望ましい。
この構成によれば、全ての画素において画素を横断する第１電極の本数が同じになり、全ての画素において第１電極に基づいて発生する横電界の強度が同じになる。そのため、画素間で同強度の横電界に基づいた液晶分子の駆動が可能となり、色ムラの無い良好な表示が可能な表示部を備えた電子機器とすることができる。
【００２０】
本発明においてはサブ画素は各々同じ形状を有し、隣接する第１電極の一端部同士の配列軸方向における間隔は、サブ画素の配列軸方向における幅と等しいことが望ましい。
この構成によれば、全てのサブ画素において、サブ画素を横断する第１電極の本数が等しくなるため、全てのサブ画素において第１電極に基づいて発生する横電界の強度が同じになる。そのため、サブ画素間で同強度の横電界に基づいた液晶分子の駆動が可能となり、色ムラの無い良好な表示が可能な表示部を備えた電子機器とすることができる。
【００２１】
本発明においては、サブ画素は各々同じ形状を有し、隣接する第１電極の一端部同士の配列軸方向における間隔は、サブ画素の配列軸方向における幅の整数分の１の幅と等しいことが望ましい。
この構成によれば、多数の第１電極を配置することが可能となり、緻密な間隔で第１電極からの横電界を発生させることができる。そのため、液晶の駆動を緻密に行うことができ、高画質な表示部を備えた電子機器とすることができる。
【００２２】
本発明においては、第１電極と第２電極とが成す角度と、第１電極と第３電極とが成す角度との片方または両方が、１度以上１５度以下であることが望ましい。
角度が１度未満となると、延在する第１電極が長くなりすぎるため、第１電極が有する電気抵抗によりフリッカやクロストークが発生する懸念が増大する。角度が１５度より大きくなると、第１電極から発生する横電界と第２電極や第３電極から発生する横電界との角度差が大きくなり、第１電極と第２電極の交点近傍や第１電極と第３電極の交点近傍において発生するディスクリネーションの影響が強くなる。そのため、この構成の角度の範囲内で各電極を形成することでディスクリネーションをより効果的に低減させ、光透過率を向上させた表示部を備えた電子機器とすることができる。
【００２３】
本発明においては、共通電極は、第２電極および第３電極の両端部において隣接する端部同士をそれぞれ接続する一対の第４電極を備え、一対の第４電極のうちの一方の第４電極には、複数の第１電極の一端部が接続され、一対の第４電極のうちの他方の第４電極には、複数の第１電極の他端部が接続され、共通電極は表示領域の外側に張り出して形成され、且つ一対の第４電極は表示領域の外側に配置されていることが望ましい。
この構成によれば、第４電極は第１電極、第２電極および第３電極の各々の端部を接続している。ここで、第４電極から発生する横電界の向きと、各電極から発生する横電界の向きとは、それぞれ異なるため、第４電極と各電極との接続部近傍では、ディスクリネーションが発生することになる。しかし、ここでは第４電極は表示領域の外側に配置されているため、ディスクリネーションが発生する位置を表示に影響を与えない位置とすることができる。そのため高画質な表示が可能な表示部を備えた電子機器を提供することができる。
【００２４】
本発明においては、第２電極と第３電極とが、第１電極よりも抵抗率の低い導電性材料で形成されていることが望ましい。
第２電極や第３電極を低抵抗の材料で形成することで、共通電極全体の抵抗を下げることができ、フリッカやクロストークを低減させた表示部を備えた電子機器とすることができる。
【発明を実施するための最良の形態】
【００２６】
［第１実施形態］
以下、図１〜図６を参照しながら、本発明の第１実施形態に係る液晶表示装置について説明する。なお、以下の全ての図面においては、図面を見やすくするため、各構成要素の膜厚や寸法の比率などは適宜異ならせてある。
【００２７】
まず、本実施形態の液晶表示装置１の構成について説明する。図１は液晶表示装置１の配線構造を示すブロック図である。液晶表示装置１は、走査信号を供給する走査線１４と、画像信号を供給する信号線１６と、走査線と同数であり並列に配置されている容量線１８と、走査線１４と接続され走査線１４に供給される走査信号を制御する走査線駆動回路１５と、信号線１６と接続され信号線１６に供給される画像信号を制御する信号線駆動回路１７とを備えている。
【００２８】
走査線１４は信号線１６および容量線１８と交差して配置されており、走査線１４と信号線１６の交点にはサブ画素Ｐを形成している。複数のサブ画素Ｐは、マトリクス状に配置している。このサブ画素Ｐは、液晶素子１１と、液晶素子１１の駆動を制御するための薄膜トランジスタ（Thin Film Transistor：以下、ＴＦＴ）素子である駆動用ＴＦＴ１２と、液晶素子１１で表示された画像を安定させるための保持容量１９と、を備えている。液晶素子１１は、画素電極１００と共通電極２００と液晶層２０とを備えている。
【００２９】
サブ画素Ｐが備える駆動用ＴＦＴ１２は、ゲート部に走査線１４が接続し、ソース部に信号線１６が接続し、ドレイン部に液晶素子１１の画素電極１００が接続している。また、サブ画素Ｐが備える保持容量１９は、駆動用ＴＦＴ１２のドレインと容量線１８との間に設けられている。
【００３０】
サブ画素Ｐが備える液晶素子１１では、画素電極１００が駆動用ＴＦＴ１２のドレインと接続され、共通電極２００が容量線１８と接続されている。
【００３１】
走査線駆動回路１５は、シフトレジスタおよびレベルシフタを備え、走査線１４を制御する。また、信号線駆動回路１７は、シフトレジスタ、レベルシフタ、ビデオラインおよびアナログスイッチを備え、信号線１６を制御する。
【００３２】
このような液晶表示装置１では、走査線駆動回路１５からの走査信号が走査線１４を介して駆動用ＴＦＴ１２に伝わると、駆動用ＴＦＴ１２がオンとなる。駆動用ＴＦＴ１２がオンのときに信号線１６から供給されるデータ信号は、駆動用ＴＦＴ１２を介して画素電極１００に伝わり、データ信号は画素電極１００と共通電極２００との間で一定期間保持される。液晶素子１１では電極間に保持されたデータ信号の電位に応じて液晶層２０が駆動し、データ信号に応じた表示を行う。それと同時に、供給されるデータ信号は保持容量１９にも供給されるため、データ信号がリークすることが防止され、液晶素子１１は画像を安定に表示する。
【００３３】
次に、液晶表示装置１の詳細構成について、図２および図３を用いて説明する。図２は液晶表示装置の部分断面図、図３は液晶表示装置のサブ画素領域を示す部分平面図である。図２は、図３のＡ−Ａにおける矢視断面図に相当する。
【００３４】
図２に示すように、液晶表示装置１は、素子基板３０と、素子基板３０と対向配置された対向基板５０と、素子基板３０と対向基板５０との間に挟持された液晶層２０とを備えて構成されている。また、液晶表示装置１には、素子基板３０と対向基板５０とが対向する領域の縁端に沿って不図示のシール材が設けられており液晶層２０が封止されている。この液晶表示装置１は、素子基板３０側から照明光が照射される構成となっている。
【００３５】
素子基板３０は、光透過性を備えた基板本体３１を備えている。基板本体３１を形成する材料には、例えばガラス、石英ガラス、窒化ケイ素等の無機物や、アクリル樹脂、ポリカーボネート樹脂等の有機高分子（樹脂）を用いることができる。また、光透過性を備えるならば、前記材料を積層または混合して形成された複合材料を用いることもできる。
【００３６】
基板本体３１の液晶層２０側の面上には、アルミニウムや銅等の導電性材料からなる走査線１４と容量線１８が互いに並行に形成されている。走査線１４と容量線１８とは同じ材料を用いることとしてもよく、また異なる材料を用いて形成しても良い。これらは、例えばアルミニウム等の導電膜を成膜した後に、パターニングされることにより得られる。
【００３７】
なお、本発明において「並行」とは互いに交差しないように並んだ状態で配置されることであり、更には数学的な平行を含む。しかしながら、製造上の誤差等の理由により厳密に平行にはならず略平行になっていても良い。以下、並行と記述する際には同様の意味において使用するものとする。
【００３８】
また基板本体３１上には、走査線１４および容量線１８を覆うようにゲート絶縁膜３２が形成されている。ゲート絶縁膜３２は、窒化シリコンや酸化シリコンなどのような絶縁性を有する透光性材料で構成されている。
【００３９】
ゲート絶縁膜３２上には、半導体層４２、ソース電極４３、ドレイン電極４４が形成されており、これら半導体層４２、ソース電極４３、ドレイン電極４４および基板本体３１上に形成されている走査線１４によって駆動用ＴＦＴ１２を構成している。また、ドレイン電極４４と導通して容量電極４５が形成されており、容量線１８と共に保持容量１９を構成している。
【００４０】
半導体層４２は、アモルファスシリコンなどの半導体で構成されている。また、ソース電極４３は、同じくゲート絶縁膜３２上に形成されている不図示の信号線１６から分岐して形成されており、半導体層４２の一端に接続している。そして、ドレイン電極４４は容量電極４５と導通して形成されており、半導体層４２の他端に接続している。
【００４１】
またゲート絶縁膜３２上には、駆動用ＴＦＴ１２、容量電極４５および不図示の信号線１６を覆うように層間絶縁膜３３が形成されている。層間絶縁膜３３は、ゲート絶縁膜３２と同様に、窒化シリコンや酸化シリコンなどの絶縁性を有する透光性材料で構成されている。また、層間絶縁膜３３の容量電極４５と重なる部分には、画素電極１００と駆動用ＴＦＴ１２との導通を図るための貫通孔であるコンタクトホール３３ａが形成されている。
【００４２】
層間絶縁膜３３上には、サブ画素Ｐの形状に応じた画素電極１００が形成されており、コンタクトホール３３ａを介して駆動用ＴＦＴ１２のドレイン電極４４と電気的に接続している。画素電極１００は、ＩＴＯ（Indium Thin Oxide:インジウム錫酸化物）等の光透過性を備えた導電性材料にて形成されている。本実施形態ではＩＴＯを用いている。
【００４３】
また、層間絶縁膜３３上には、画素電極１００を覆って電極間絶縁膜３４が形成されている。電極間絶縁膜３４は、ゲート絶縁膜３２や層間絶縁膜３３と同様に、窒化シリコンや酸化シリコンなどの絶縁性を有する透光性材料で構成されており、層間絶縁膜３３上に形成された画素電極１００を被覆している。
【００４４】
電極間絶縁膜３４上には、共通電極２００が形成されている。共通電極２００は、第１電極２００ａ、第２電極２００ｂおよび第３電極２００ｃを備えており、一定間隔で配列する第１電極２００ａの一端側に第２電極２００ｂが、他端側に第３電極が配置されている。画素電極１００と共通電極２００とは、電極間絶縁膜３４を介して配置されている。このことにより、画素電極１００と共通電極２００とは、ＦＦＳ方式の電極構造を構成している。この共通電極２００は、ＩＴＯ等の光透過性の導電性材料にて形成されており、本実施形態では共通電極２００の材料にＩＴＯを用いている。これらは、例えばＩＴＯ膜を成膜した後に、パターニングされることにより得られる。共通電極２００の構成については、後に詳述する。
【００４５】
また、電極間絶縁膜３４上には、共通電極２００を覆って配向膜３５が形成されている。配向膜３５は、例えばポリイミドなどの有機材料やシリコン酸化物などの無機材料で構成されており、無印加状態において液晶層２０に含まれる液晶分子を一定方向に配列させる役割を備える。本実施形態では、配向膜３５はポリイミドの形成材料を塗布してこれを乾燥・硬化させた後、その上面にラビング処理を施すことによって得られる。ラビングを均一化するため、ラビング処理を施す方向は、例えば第１電極２００ａの延在方向に対し２度などの所定の角度とすることが望ましい。また、ラビング処理を施す方向は、第２電極２００ｂおよび第３電極２００ｃの延在する方向であってもよい。
【００４６】
一方、対向基板５０は光透過性を備えた基板本体５１を備えている。基板本体５１を形成する材料には基板本体３１と同様に、例えばガラス、石英ガラス、窒化ケイ素等の無機物や、アクリル樹脂、ポリカーボネート樹脂等の有機高分子（樹脂）を用いることができる。また、光透過性を備えるならば、前記材料を積層または混合して形成された複合材料を用いることもできる。
【００４７】
基板本体５１の液晶層２０側の面上には、カラーフィルタ層５２が形成されている。カラーフィルタ層５２は、サブ画素Ｐの形状に対応して配置されており、各サブ画素の表示色に対応する色材を含有している。
【００４８】
カラーフィルタ層５２上には、配向膜５３が形成されている。配向膜５３は、例えばポリイミドなどの有機材料やシリコン酸化物などの無機材料で構成されており、無印加状態において液晶層２０に含まれる液晶分子を一定方向に配列させる役割を備える。本実施形態では、配向膜５３はポリイミドの形成材料を塗布してこれを乾燥・硬化させた後、その上面に一定方向にラビング処理を施すことによって得られる。このラビングによる配向膜５３の配向方向が、配向膜３５の配向方向と同方向となるように配置されている。
【００４９】
また、基板本体３１の液晶層２０とは反対側の面には偏光板３６が設けられており、基板本体５１の液晶層２０とは反対側の面には偏光板５６が設けられている。これら偏光板３６、５６は、それぞれの偏光軸が互いに直交するように設けられている。
【００５０】
続いて、図３に示す平面図を参照して本実施形態の液晶表示装置１におけるサブ画素Ｐ近傍の平面配線構造を説明する。図３においては、素子基板３０上の各配線及び半導体層のみを示し、各絶縁膜を省略している。また、図を見やすくするために、配線の幅や大きさを変更して示している。
【００５１】
図に示すように、走査線１４および容量線１８は略平行に形成されており、図中では水平方向に延在している。信号線１６はこれら走査線１４および容量線１８に対して直交するように形成されている。したがって、走査線１４、信号線１６および容量線１８は平面視で略格子状に配線されている。
【００５２】
信号線１６からは、平面視で逆Ｌ字状のソース電極４３が分岐されており、走査線１４と平面的に重なるように形成されている半導体層４２の一端と接続している。半導体層４２の他端にはドレイン電極４４が接続しており、駆動用ＴＦＴ１２を形成している。また、ドレイン電極４４は容量線１８と平面的に重なるように形成されている容量電極４５と接続しており、保有容量１９を形成している。
【００５３】
共通電極２００は、図中に破線で示すサブ画素Ｐと平面的に重なり、サブ画素Ｐの領域を斜めに横断して多数配置される第１電極２００ａと、サブ画素Ｐと重ならない画素間領域に配置される第２電極２００ｂと、同じくサブ画素Ｐと重ならない画素間領域に配置される第３電極２００ｃとを備えている。共通電極２００は、サブ画素Ｐが形成されている表示領域全面に形成されている。また、第１電極２００ａは、複数のサブ画素Ｐに配置された２つ以上の画素電極１００と重なるように配置されている。
【００５４】
第１電極２００ａ、第２電極２００ｂおよび第３電極２００ｃはそれぞれ帯状の形状を有しており、複数の第１電極２００ａは互いに並行で等間隔に配置されている。これら複数の第１電極２００ａは、略平行に配置されているとも言え、製造上の理由などにより厳密に平行になっていなくても良い。また、第２電極２００ｂと第３電極２００ｃは、互いに並行に形成されており、同時に走査線１４および容量線１８とも略平行に形成されている。第２電極２００ｂと第３電極２００ｃも略平行に配置されている。第１電極２００ａと第２電極２００ｂとの成す角度θ、および第１電極２００ａと第３電極２００ｃとの成す角度θは１０度である。
【００５５】
続いて、図４には本実施形態の液晶表示装置１が備える共通電極の形状と配置を示す説明図を示す。図４（ａ）は複数の画素を示した広域平面図を示し、（ｂ）は１画素のみを拡大して示した拡大平面図を示す。説明を容易にするために、図４（ａ）では縦１行×横５列の画素構成を抜き出して図示しており、第１電極２００ａを一部省略して図示している。ここで平面視方形の画素Ｇは、平面視矩形のサブ画素Ｐにより１画素あたり３つ集合して構成されており、サブ画素Ｐはそれぞれ赤色、緑色、青色を表示することとする。そのため、図では縦１行×横１５列のサブ画素構成を図示している。図中で「ｒ」「ｇ」「ｂ」は、それぞれ赤色、緑色、青色を表示するサブ画素であることを示す。
【００５６】
図４（ａ）に示すように、画素ＧはＧ１、Ｇ２…と順に配列しており、それぞれの画素Ｇには赤色、緑色、青色を表示するサブ画素Ｐが含まれている。本実施形態の共通電極２００が備える第１電極２００ａは、第１電極２００ａの一端部が全てのサブ画素の左上隅に、また、第１電極２００ａの他端部が全てのサブ画素の右下隅に配置され、１２個のサブ画素Ｐを斜めに横断して配置している。例えば、図に示す画素Ｇ１に含まれるサブ画素Ｐ１ｒの左上隅に一端部が配置された第１電極２００ａの他端部は、画素Ｇ４に含まれるサブ画素Ｐ４ｂの右下隅に配置されている。また、本実施形態の共通電極２００が備える第２電極２００ｂおよび第３電極２００ｃは、それぞれ画素配列方向に延在する画素間領域に重なって配置しており、第１電極２００ａと接続している。本実施形態では、第１電極２００ａと第２電極２００ｂ、および第１電極２００ａと第３電極２００ｃとの間の角度θは１０度である。
【００５７】
このような配置で共通電極２００を配置すると、図４（ｂ）に示すように、画素Ｇが含むサブ画素Ｐを横断する第１電極２００ａはいずれも同数となる。図ではそれぞれのサブ画素Ｐには１２本の第１電極２００ａが平面的に重なって横断している。そのため、各サブ画素Ｐ間では同強度の電界に基づき液晶を駆動させることができるので各サブ画素Ｐ間での色ムラを抑えることができる。また、第１電極２００ａが各サブ画素Ｐと平面的に重なった部分の大きさ・形状がいずれも同じになる。そのため、いずれのサブ画素Ｐにおいても同形状の第１電極２００ａから発生する電界により液晶を駆動させることができるので、やはり各サブ画素Ｐ間での色ムラを抑えることができる。
【００５８】
図５は、第１電極２００ａと第２電極２００ｂとの接続箇所近傍での横電界方向と液晶分子の駆動の様子を示す模式図である。第１電極２００ａと第２電極２００ｂとの間の角度は１０度であるため、第１電極２００ａから発生する横電界Ｅと第２電極２００ｂから発生する横電界Ｅとは１０度の角度の違いがある。そのため、第１電極２００ａからの横電界Ｅに基づいて駆動する液晶分子２０ａと第２電極２００ｂからの横電界Ｅに基づいて駆動する液晶分子２０ｂとは、１０度の角度の違いを持って配向する。配向の角度の違いが１０度と小さいため、発生するディスクリネーションの程度も小さくなる。したがって、このような形状の共通電極を備える本実施形態の液晶表示パネル１では、ディスクリネーションの影響が小さく良好な表示が可能となる。
【００５９】
図６には、本実施形態の共通電極２００の端部形状を表わす平面図を示す。ここでは、共通電極２００の片側の端部のみを示している。本実施形態の共通電極２００は、第２電極２００ｂと第３電極２００ｃとの端部同士を接続する第４電極２００ｄを備えており、この第４電極２００ｄには、複数の第１電極２００ａの他端部も同時に接続している。共通電極２００の図示していない側の端部においても同様に、第４電極２００ｄは第２電極２００ｂと第３電極２００ｃとの端部同士を接続しており、同時に第４電極２００ｄには複数の第１電極２００ａの一端部が接続している。したがって、本実施形態の共通電極２００は、第２電極２００ｂ、第３電極２００ｃおよび一対の第４電極２００ｄが互いに接続して平面視略矩形の枠状の形状を成し、複数の第１電極２００ａがこの枠状の形状の内部に接続して配置された形状をしている。本実施形態では、第４電極２００ｄはＩＴＯで形成されている。
【００６０】
ここで、第４電極２００ｄと第１電極２００ａ、第２電極２００ｂおよび第３電極２００ｃとのそれぞれの接続箇所近傍では、各電極から発生する横電界の向きが異なるためディスクリネーションが発生する。しかし本実施形態では、共通電極２００は表示領域ＡＲの外側の領域ＤＡにまで張り出して形成されており、第４電極２００ｄは外側の領域ＤＡに配置されている。そのため、第４電極２００ｄと各電極との接続箇所近傍で発生するディスクリネーションは、表示領域の外側の領域ＤＡで発生することになり、表示に影響を与えない。この外側の領域ＤＡの広さは、ディスクリネーションが発生する領域を全て含むことができ表示に影響を与えない広さであれば特に限定されない。また、本実施形態では第４電極２００ｄは、平面視矩形の帯状の形状をしているが、外側の領域ＤＡに配置されていれば第４電極２００ｄの形状には特に限定はない。このように、本実施形態の液晶表示パネル１では、表示領域ＡＲの端部においてもディスクリネーションの影響が小さく良好な表示が可能となる。
【００６１】
以上のような構成の液晶表示装置１によれば、画素配列方向に延在する第２電極２００ｂおよび第３電極２００ｃに対して第１電極２００ａは斜めに交差して延在している。そのため、第１電極２００ａから発生する横電界の向きに対して、第２電極２００ｂや第３電極２００ｃから発生する横電界の向きは同様に斜めになる。したがって、電界方向の違いによって生じるディスクリネーションが最大となる９０度の横電界の違いを回避することができ、ディスクリネーションの影響が小さい液晶表示装置１とすることができる。更に、第１電極２００ａが第２電極２００ｂおよび第３電極２００ｃと接続され共通電極２００を形成しているため、電圧信号は短い行路を伝わることができる。そのため、応答タイミングの差を小さくすることができ、フリッカやクロストークを低減させた液晶表示装置１とすることができる。
【００６２】
また、本実施形態では、複数の第１電極２００ａは、互いに並行且つ一定間隔で配置されている。隣接する第１電極２００ａの間隔に変化がなく均一であるため、両者の間に広がる電界の強さに変化が生じず、第１電極２００ａ近傍において均一な強さの横電界を発生させることができる。そのため、液晶分子の駆動にムラが無くなり、高画質の液晶表示装置１とすることができる。
【００６３】
また、本実施形態では、第２電極２００ｂおよび第３電極２００ｃは、画素配列軸方向に延在する画素間領域に平面的に重なって配置されていることとしている。そのため、第１電極２００ａと第２電極２００ｂとの交点、および第１電極２００ａと第３電極２００ｃとの交点は画素Ｇの端部に配置される。そのため、ディスクリネーションが発生する箇所は表示を行う画素Ｇの端部となり、画素Ｇの中央部では良好に表示ができる。したがって、発生するディスクリネーションによる画質への影響が小さい液晶表示装置１とすることが可能となる。
【００６４】
また、本実施形態では、第２電極２００ｂと第３電極２００ｃとは、隣接する画素間領域にそれぞれ配置されていることとしている。そのため、各画素は必ず第２電極２００ｂおよび第３電極２００ｃに挟まれて配置するため、画素の配列している行間では等しくディスクリネーションが発生する。したがって、行間での違いが無くなり、色ムラを抑えた表示が可能な液晶表示装置１とすることができる。
【００６５】
また、本実施形態では、画素Ｇは同じ形状を有する複数のサブ画素Ｐを備え、隣接する第１電極２００ａの一端部同士の配列軸方向における間隔が、サブ画素Ｐの配列軸方向における幅と等しいこととしている。そのため、全てのサブ画素Ｐにおいて、サブ画素Ｐを横断する第１電極２００ａの本数が等しくなるため、全てのサブ画素Ｐにおいて第１電極２００ａに基づいて発生する横電界の強度が同じになる。したがって、サブ画素Ｐ間で同強度の横電界に基づいた液晶分子２０ａの駆動が可能となり、色ムラの無い良好な表示が可能な液晶表示装置１とすることができる。
【００６６】
また、本実施形態では、第１電極２００ａと第２電極２００ｂとが成す角度と、第１電極２００ａと第３電極２００ｃとが成す角度はいずれも１０度であることとしている。この角度を備えた共通電極２００を用いることで、ディスクリネーションをより効果的に低減させ、光透過率を向上させた画像表示装置１とすることができる。
【００６７】
また、本実施形態では、第１電極２００ａと第２電極２００ｂと第３電極２００ｃは表示領域ＡＲの外側の領域ＤＡにて第４電極２００ｄと接続することとしている。そのため各電極と第４電極２００ｄとの接続位置で発生するディスクリネーションは、表示に影響を与えない外側の領域ＤＡで発生することになる。そのため高画質な表示が可能な液晶表示装置１を提供することができる。
【００６８】
なお、本実施形態においては、共通電極２００はＩＴＯで形成することとしたが、共通電極２００の備える第１電極２００ａはＩＴＯとし、第２電極２００ｂおよび第３電極２００ｃは第１電極２００ａを形成するＩＴＯよりも低効率の低い銅などの導電性材料で形成することとしても構わない。第２電極２００ｂや第３電極２００ｃを低抵抗の材料で形成することで、共通電極２００全体の抵抗を下げることができ、フリッカやクロストークを低減させた液晶表示装置とすることができる。第２電極２００ｂおよび第３電極２００ｃを形成する低抵抗の導電性材料が光透過性を備えない場合には、第２電極２００ｂおよび第３電極２００ｃを画素間領域やブラックマトリクスなどに平面的に重なるように配置し、表示領域に重ならないように配置することが望ましい。
【００６９】
［第２実施形態］
図７は、本発明の第２実施形態に係る画像表示装置２の説明図である。本実施形態の液晶表示装置は、第１実施形態の液晶表示装置１と一部共通している。異なるのは、共通電極が備える第１配線のピッチが半分になり第１電極の数が倍になっていることである。したがって、本実施形態において第１実施形態と共通する構成要素については同じ符号を付し、詳細な説明は省略する。
【００７０】
図７には本実施形態の液晶表示装置２が備える共通電極の形状と配置を示す説明図を示す。本実施形態の共通電極２１０が備える第１電極２１０ａは、第１電極２１０ａの一端部がサブ画素の左上隅およびサブ画素の配列方向に延在する辺の中点に配置されており、第１電極２１０ａの他端部がサブ画素の右下隅およびサブ画素の配列方向に延在する辺の中点に配置されている。すなわち、隣接する第１電極２１０ａの一端部同士の間隔は、サブ画素の配列方向に延在する辺の幅の半分（２分の１）の幅に等しくなっている。第１電極２１０ａは互いに並行に配置しているため、隣接する第１電極２１０ａの他端部同士の間隔も、サブ画素の配列方向に延在する辺の幅の半分の幅に等しい。
【００７１】
また、第１電極２１０ａは、例えば画素Ｇ１に含まれるサブ画素Ｐ１ｒの左上隅に一端部が配置された第１電極２１０ａの他端部は、画素Ｇ４に含まれるサブ画素Ｐ４ｂの右下隅に配置されている様に、１２個のサブ画素Ｐを斜めに横断して配置している。また、本実施形態の共通電極２１０が備える第２電極２１０ｂおよび第３電極２１０ｃは、それぞれ画素配列方向に延在する画素間領域に重なって配置しており、複数の第１電極２１０ａと接続している。本実施形態では、第１電極２１０ａと第２電極２１０ｂ、および第１電極２１０ａと第３電極２１０ｃとの間の角度θは１０度である。
【００７２】
以上のような構成の液晶表示装置２によれば、多数の第１電極２００ａを配置することが可能となり、緻密な間隔で第１電極２００ａからの横電界を発生させることができる。そのため、液晶の駆動を緻密に行うことができ、高画質な液晶表示装置とすることができる。
【００７３】
［第３実施形態］
図８は、本発明の第３実施形態に係る画像表示装置３の説明図である。本実施形態の液晶表示装置は、第１実施形態の液晶表示装置と一部共通している。異なるのは、共通電極が備える第１電極の数が減少し、全てのサブ画素には第１電極の一端部または他端部が配置されていない点ある。したがって、本実施形態において第１実施形態と共通する構成要素については同じ符号を付し、詳細な説明は省略する。
【００７４】
ここで、理想的な第１電極の配置とはすなわち、第１実施形態や第２実施形態で示したようにサブ画素Ｐに平面的に重なる第１電極の形状が全てのサブ画素Ｐにおいて等しく、且つサブ画素Ｐを横断する第１電極の本数が全てのサブ画素Ｐにおいて等しいという配置である。このような配置で共通電極が配置されると、発生する横電界の強度がサブ画素間で等しくなるため、安定した駆動と均一な表示画質が得られる。したがって、全てのサブ画素には第１電極の一端部または他端部が配置しない場合であってもこのような第１電極の配置に近づくほど高画質の画像を表示可能な液晶表示装置３とすることができる。
【００７５】
図８には本実施形態の液晶表示装置が備える共通電極の形状と配置を示す説明図を示す。まず、図８（ａ）には、本実施形態の共通電極２２０が備える第１電極２２０ａの一端部が第２電極２２０ｂに２サブ画素ごとに配置され、第１電極２２０ａが１３サブ画素を横断し、他端部が第３電極２２０ｃと接続するという配置例を示す。第１電極２２０ａと第２電極２２０ｂ、および第１電極２２０ａと第３電極２２０ｃとの間の角度θは約８度である。そのため、第１電極２２０ａの一端部および他端部近傍でのディスクリネーションの影響は小さく抑えられている。
【００７６】
この場合、例えば画素Ｇ２に着目すると、サブ画素Ｐ２ｒ，Ｐ２ｂには第１電極２２０ａが６本横断しているが、サブ画素Ｐ２ｇには７本横断しており、異なる色を表示するサブ画素間で横断する第１電極２２０ａの数が異なる。また、赤色を表示するサブ画素に着目すると、例えばサブ画素Ｐ２ｒは６本の第１電極２２０ａが横断しているのに対し、サブ画素Ｐ３ｒでは７本の第１電極２２０ａが横断しており、同色を表示するサブ画素間においても横断する第１電極２２０ａの数が異なる。以上のような配置の共通電極２２０を備えた液晶表示装置３の場合には、各サブ画素間において発生する電界の強度が異なるため液晶分子の駆動の様子が異なり、色ムラが残る。
【００７７】
次に、図８（ｂ）には、第１電極２２０ａの一端部が第２電極２２０ｂに３サブ画素ごとに配置され、第１電極２２０ａが１０サブ画素を横断し、他端部が第３電極２２０ｃと接続するという配置例を示す。第１電極２２０ａと第２電極２２０ｂ、および第１電極２２０ａと第３電極２２０ｃとの間の角度θは約１３度である。そのため、第１電極２２０ａの一端部および他端部近傍でのディスクリネーションの影響は小さく抑えられている。
【００７８】
この場合、例えば画素Ｇ２に着目すると、サブ画素Ｐ２ｒには第１電極２２０ａが４本横断しているが、サブ画素Ｐ２ｇ，Ｐ２ｂには３本横断しており、異なる色を表示するサブ画素間で横断する第１電極２２０ａの数が異なる。一方で、赤色を表示するサブ画素Ｐに着目すると、すべての赤色を表示するサブ画素では第１電極２２０ａが４本横断しており、同色を表示するサブ画素間においては横断する第１電極２２０ａの数が等しい。緑色および青色を表示するサブ画素Ｐにおいても、同色内では横断する第１電極２２０ａの数が等しい。以上のような配置の共通電極２２０を備えた液晶表示装置４の場合には、同色のサブ画素間においては電界の強度が等しいが、異なる色のサブ画素間では発生する電界の強度がことなるため液晶分子の駆動の様子が異なり、異なる色のサブ画素Ｐ間で色ムラが残る。
【００７９】
次に、図８（ｃ）には、第１電極２２０ａの一端部が第２電極２２０ｂに２サブ画素ごとに配置され、第１電極２２０ａが１２サブ画素を横断し、他端部が第３電極２２０ｃと接続するという配置例を示す。第１電極２２０ａが横断するサブ画素の数は、１画素Ｇを構成するサブ画素Ｐの数の４倍となっている。また、第１電極２２０ａと第２電極２２０ｂ、および第１電極２２０ａと第３電極２２０ｃとの間の角度θは約１０度である。そのため、第１電極２２０ａの一端部および他端部近傍でのディスクリネーションの影響は小さく抑えられている。
【００８０】
この場合、例えば画素Ｇ２に着目すると、いずれのサブ画素Ｐにおいても第１電極２２０ａが６本横断しており、異なる色を表示するサブ画素間で横断する第１電極２２０ａの数が等しい。一方で、赤色を表示するサブ画素Ｐに着目すると、例えばサブ画素Ｐ２ｒには第１電極２２０ａの一端部が配置されていないが、サブ画素Ｐ３ｒには配置されている。またサブ画素Ｐ２ｒには第１電極２２０ａの他端部は配置されているが、サブ画素Ｐ３ｒには配置されていない。したがって、同色を表示するサブ画素Ｐ間において、第１電極２２０ａの重なり方が異なる。緑色および青色を表示するサブ画素Ｐも同様である。これまで述べてきたように、第１電極２２０ａの一端部および他端部の近傍では液晶分子の配向が異なりディスクリネーションが発生する。しかし、同色を表示するサブ画素Ｐ間において第１電極２２０ａの一端部および他端部の配置が一定しないため、ディスクリネーションの発生位置が一定せず色ムラの原因となる。そのため、以上のような配置の共通電極２２０を備えた液晶表示装置５の場合には、異なる色を表示するサブ画素Ｐ間において電界の強度が一定するが、同色のサブ画素Ｐ間で色ムラが残る。
【００８１】
次に、図８（ｄ）には、第１電極２２０ａの一端部が第２電極２２０ｂに３サブ画素ごとに配置され、第１電極２２０ａが１２サブ画素を横断し、他端部が第３電極２２０ｃと接続するという配置例を示す。第１電極２２０ａが横断するサブ画素の数は、１画素Ｇを構成するサブ画素Ｐの数の４倍となっている。また、第１電極２２０ａと第２電極２２０ｂ、および第１電極２２０ａと第３電極２２０ｃとの間の角度θは約１０度である。そのため、第１電極２２０ａの一端部および他端部近傍でのディスクリネーションの影響は小さく抑えられている。
【００８２】
この場合、例えば画素Ｇ２に着目すると、いずれのサブ画素Ｐにおいても第１電極２２０ａが４本横断しており、異なる色を表示するサブ画素間で横断する第１電極２２０ａの数が等しい。また、赤色を表示するサブ画素Ｐに着目すると、全ての赤色を表示するサブ画素Ｐには第２電極２２０ｂと接続する第１電極の一端部が配置されている。同様に、緑色を表示するサブ画素Ｐに着目すると、緑色を表示するいずれのサブ画素においても第１電極２２０ａの一端部または他端部が配置されておらず、青色を表示するサブ画素Ｐには全てにおいて第１電極の他端部が配置されている。すなわち、同色を表示するサブ画素Ｐ間において第１電極２２０ａの一端部および他端部の配置が一定しており、ディスクリネーションの発生位置が規則的に一定している。そのため、以上のような配置の共通電極２２０を備えた液晶表示装置６の場合には、異なる色を表示するサブ画素Ｐ間において電界の強度が一定し、且つ同色のサブ画素Ｐ間で同じパターンで共通電極２２０が配置されているため色ムラが生じない。したがって、良好な表示を行うことが出来る液晶表示装置とすることができる。
【００８３】
［第４実施形態］
図９は、本発明の第４実施形態に係る画像表示装置７の説明図である。本実施形態の液晶表示装置は、第３実施形態の液晶表示装置と一部共通している。本実施形態において第３実施形態と共通する構成要素については同じ符号を付し、詳細な説明は省略する。
【００８４】
本実施形態の液晶表示装置７は、画素Ｇの形状が平面視略平行四辺形をしており、画素配列軸方向に延在している。そのため配列軸方向に延在する画素間領域は、平面視で鋸歯状になっており、直線状ではない。
【００８５】
本実施形態の共通電極２３０が備える第１電極２３０ａは、画素配列軸方向に延在する画素Ｇの斜辺部と並行に配置されている。また、第２電極２３０ｂは、画素Ｇの斜辺部および第１電極２３０ａと並行な本線部２３０ｅと、画素配列軸に直交する方向（画素Ｇの縦辺部延在方向）に延在して配置され隣接する本線部２３０ｅ同士を接続する接続部２３０ｆとを備えて構成されている。同様に第３電極２３０ｃは、画素Ｇの斜辺部および第１電極２３０ａと並行な本線部２３０ｇと、画素配列軸に直交する方向に延在して配置され隣接する本線部２３０ｇ同士を接続する接続部２３０ｈとを備えて構成されている。第１電極２３０ａの一端部は、第２電極２３０ｂが備える本線部２３０ｅと接続部２３０ｆとの接続箇所に配置されている。また、第１電極２３０ａの他端部は、第３電極２３０ｃが備える本線部２３０ｇと接続部２３０ｈとの接続箇所に配置されている。
【００８６】
以上のような構成の液晶表示装置７によれば、画素Ｇに含まれる各々のサブ画素Ｐに平面的に重なる第１電極２３０ａの形状が全て等しくなる。そのため、各サブ画素Ｐにおいて横電界の強度を等しくすることができ、色ムラを抑えた優れた表示が可能な液晶表示装置とすることができる。
【００８７】
なお、本実施形態においては、第１電極２３０ａの一端部は、第２電極２３０ｂが備える本線部２３０ｅと接続部２３０ｆとの接続箇所に配置されていることとしたが、接続部２３０ｆ上のいずれの箇所においても配置することが可能である。第１電極２３０ａの他端部においても同様である。
【００８８】
また、本実施形態においては、第２電極２３０ｂが備える接続部２３０ｆ上には第１電極２３０ａの一端部が１つしか配置されていないが、複数配置することも可能である。その場合には、第１電極２３０ａの間隔が狭くなり緻密な間隔で第１電極２３０ａからの横電界を発生させることができる。そのため、表示領域全体に効果的に電界がおよび液晶分子の制御が容易になるため、高画質の表示が可能な液晶表示装置を提供できる。
【００８９】
［電子機器］
次に、本発明の電子機器の実施形態について説明する。図１０は、本発明に係る電子機器の一例を示す斜視図である。図１０に示す携帯電話１３００は、本発明の液晶表示装置を小サイズの表示部１３０１として備え、複数の操作ボタン１３０２、受話口１３０３、及び送話口１３０４を備えて構成されている。これにより、本発明の液晶表示装置により構成された表示品質に優れる表示部を具備した携帯電話１３００を提供することができる。
【００９０】
上記各実施の形態の液晶表示装置は、上記携帯電話に限らず、電子ブック、プロジェクタ、パーソナルコンピュータ、ディジタルスチルカメラ、テレビジョン受像機、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、かかる構成とすることで、表示品質が高く、信頼性に優れた液晶表示部を備えた電子機器を提供できる。
【００９１】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００９２】
【図１】第１実施形態に係る液晶表示装置の配線構造を示すブロック図である。
【図２】第１実施形態に係る液晶表示装置の部分断面図である。
【図３】第１実施形態に係る液晶表示装置のサブ画素領域を示す部分平面図である。
【図４】液晶表示装置が備える共通電極の形状と配置を示す説明図である。
【図５】液晶表示装置の横電界方向と液晶分子の駆動の様子を示す模式図である。
【図６】液晶表示装置の共通電極の端部を示す部分平面図である。
【図７】第２実施形態の液晶表示装置の共通電極形状と配置を示す説明図である。
【図８】第３実施形態の液晶表示装置の共通電極形状と配置を示す説明図である。
【図９】第４実施形態の液晶表示装置の共通電極形状と配置を示す説明図である。
【図１０】本発明に係る電子機器の一例を示す斜視図である。
【図１１】ＦＦＳ方式の駆動方式を示す模式図である。
【図１２】ＦＦＳ方式の液晶表示装置に係る電極形状の一般例を表す平面図である。
【符号の説明】
【００９３】
１〜７…液晶表示装置、２０…液晶層、３０…素子基板（基板）、５０…対向基板（基板）、１００…画素電極、２００，２１０，２２０，２３０…共通電極、２００ａ，２１０ａ，２２０ａ，２３０ａ…第１電極、２００ｂ，２１０ｂ，２２０ｂ，２３０ｂ…第２電極、２００ｃ，２１０ｃ，２２０ｃ，２３０ｃ…第３電極、２００ｄ…第４電極、２３０ｅ，２３０ｇ…本線部、２３０ｆ，２３０ｈ…接続部、１３００…携帯電話（電子機器）、ＡＲ…表示領域、Ｇ…画素、Ｐ…サブ画素
【図１】
0005519101.tif 000002
【図２】
0005519101.tif 000003
【図３】
0005519101.tif 000004
【図４】
0005519101.tif 000005
【図５】
0005519101.tif 000006
【図６】
0005519101.tif 000007
【図７】
0005519101.tif 000008
【図８】
0005519101.tif 000009
【図９】
0005519101.tif 000010
【図１０】
0005519101.tif 000011
【図１１】
0005519101.tif 000012
【図１２】
0005519101.tif 000013